(57)【要約】【課題】従来から、足指間に吸湿部材を挿入して、白癬症のそれ以上の繁殖を阻止し、治療する治具が公知であるが、上記の従来技術の技術は、その継続使用性に難点があり、また装着した状態に難点があった為に、広く普及するに至らなかった。【解決手段】帯状材を、吸湿水分伝達逃散層１と、その外周囲を被覆する吸湿材料層２で構成し、帯状材６の一端部に止め具３を設けるとともに、該帯状材の幅及び厚さを足指に巻きつけ可能な大きさとした。【選択図】　図１
2004033399.tif 000002
【特許請求の範囲】
【請求項１】
帯状材を、吸湿水分伝達逃散層と、その外周囲を被覆する吸湿材料層で構成し、該帯状材の一端部に止め具を設けるとともに、該帯状材の幅及び厚さを足指に巻きつけ可能な大きさとしたことを特徴とする吸湿性足指巻きつけ具。
【請求項２】
紐状材を、吸湿水分伝達逃散層と、その外周囲を被覆する吸湿材料層で構成し、該紐状材の一端部に止め具を設けるとともに、該紐状材の幅及び厚さを足指に巻きつけ可能な大きさとしたことを特徴とする吸湿性足指巻きつけ具。
【請求項３】
前記吸湿水分伝達逃散層は脱脂綿とし、吸湿材料層は脱脂綿をガーゼ状に形成したことを特徴とする請求項１または請求項２記載の吸湿性足指巻きつけ具。
【発明の詳細な説明】
【０００１】
【発明の属する技術分野】
本発明は、吸湿性を有する木綿繊維を帯状に形成し、足指に巻きつけることで、足指間を乾燥させる技術に関する。
【０００２】
【従来の技術】
従来から、足指間に吸湿部材を挿入して、白癬症のそれ以上の繁殖を阻止し、治療する治具については、同一出願人により、実開平４−１２４１３５号公報、実開昭６４−５６２２６号公報の如き技術が公知とされている。また第３者の出願としては、実開昭５７−６４３２５号公報や、実開昭５５−４０８９２号公報や、実開昭５６−１６３４２４号公報や、実開昭５８−１４２４号公報、実開昭６１−１２１８１４号公報、実開昭６３−１３１２３号公報、実公昭３９−３１７０４号公報の如き技術が公知とされている。
【０００３】
【発明が解決しようとする課題】
しかし、上記の従来技術は、その継続使用性に難点があり、また装着した状態に難点があった為に、広く普及するに至らなかったのである。
本発明の吸湿性足指巻きつけ具は、従来は女性の化粧落とし等に使用されているカット綿の素材を帯状に成形したものである。この足指巻きつけ具は装着状態に難点はなく、足指間を常時乾燥状態に保つので、足指間に発生する白癬症のそれ以上の繁殖を阻止して完全治療に導くことも可能である。
【０００４】
【課題を解決するための手段】
【０００５】
即ち、請求項１においては、帯状材を、吸湿水分伝達逃散層と、その外周囲を被覆する吸湿材料層で構成し、該帯状材の一端部に止め具を設けるとともに、該帯状材の幅及び厚さを足指に巻きつけ可能な大きさとしたものである。
【０００６】
請求項２においては、紐状材を、吸湿水分伝達逃散層と、その外周囲を被覆する吸湿材料層で構成し、該紐状材の一端部に止め具を設けるとともに、該紐状材の幅及び厚さを足指に巻きつけ可能な大きさとしたものである。
【０００７】
請求項３においては、前記吸湿水分伝達逃散層は脱脂綿とし、吸湿材料層は脱脂綿をガーゼ状に形成したものである。
【０００８】
【発明の実施の形態】
次に、発明の実施の形態を説明する。
図１は本発明の吸湿性足指巻きつけ具を装着した状態の平面図、図２は本発明の吸湿性足指巻きつけ具を示す図、図３は紐状に形成した吸湿性足指巻きつけ具を装着した状態の平面図、図４は紐状に形成した吸湿性足指巻きつけ具を示す図、図５はリング状に形成した吸湿性足指巻きつけ具を示す図、図６は吸湿性足指巻きつけ具の巻き方の一例を示す図、図７は化粧用コットンの斜視図、図８（ａ）は化粧用コットンの断面図、（ｂ）は化粧用コットン外部の吸湿材料層を取り外した状態を示す図、（ｃ）は化粧用コットン外部の吸湿材料層を外側にして折りたたんで綴じた状態を示す断面図、図９（ａ）は紐状に形成した吸湿性足指巻きつけ具の正面断面図と側面断面図、（ｂ）は紐状に形成され、吸湿水分伝達逃散層と吸湿材料層が渦巻き状に巻かれた吸湿性足指巻きつけ具の正面断面図と側面断面図、図１０（ａ）は通常脱脂綿として販売される製品を足指間に挿入した場合の不具合を示す図面、（ｂ）はガーゼを足指間に挿入した状態の不具合を示す図面である。
【０００９】
図１０（ａ）においては、通常脱脂綿として販売される製品を足指間に挿入して、長時間経過した状態を示している。このように脱脂綿１１を足指間に挿入することにより、足指間に発生する水分を脱脂綿１１が吸収するので、足指間は乾いて白癬症の繁殖は阻止され、治療が進むと考えられるが、実際は、脱脂綿１１は吸着された水分が中へ中へと移動して、脱脂綿１１の中心部分に水分溜まり１０が出来上がるのである。
【００１０】
故に、長い間使用すると、白癬症の痒みが取れると思いきや、足が「臭く」、「ベトベトの」足となり、前より足の指部に白癬症が繁殖するという状態が発生していたのである。
また、図１０（ｂ）の如く、従来からあるガーゼ１２のみを層状にたたんで、足指間に挿入して水分を吸着しようとしても、上記と同様の状態が発生するのである。すなわちガーゼ１２のみでも水分を吸着するが、やはり水分が中へ中へと移動して、中心部に水分溜まり１０が出来上がるという不具合が発生するのである。
【００１１】
次に、本発明の吸湿性足指巻きつけ具５の全体構成について説明する。
吸湿性足指巻きつけ具５は、図２に示すように、矩形の帯状材６と、該帯状材６の一端側に設けられた、絆創膏や傷テープ等の止め具３とで構成される。なお該帯状材６は、図５に示したようなリング状とすることも可能である。
前記吸湿性足指巻きつけ具５は、図１に示したように、帯状材６が足指に巻かれ、止め具３で足の甲側に固定される構成となっている。帯状材６の長さは親指から順に人指し指、中指、薬指、小指と巻き付けて甲側へ延ばせる長さとし、約４０ｃｍ程度の長さとし、甲側に止め具３で止めて余った部分は切断除去する。または、二重に巻いて止め具３で止める。該帯状材の幅及び厚さは足指に巻きつけ可能な大きさとしており、該帯状材６の幅Ｌは、約２ｃｍ程度とする。
【００１２】
次に帯状材６の構成を図７、図８を用いて説明する。前記帯状材６は化粧落とし用のコットン４外部の木綿繊維を層状に加工した吸湿材料層２（図８（ｂ）図示）を取り外し、内部の木綿繊維により構成した吸湿水分伝達逃散層１を内側に、外部の木綿繊維を層状に加工した吸湿材料層２を外側にして二つに折りたたんで綴じた（図８（ｃ）図示）構成となっている。すなわち、吸湿材料層２が一面しかない化粧落とし用のコットン４を、切断する前の長い状態で、吸湿材料層２を外側にして綴じることで構成している。よって、容易で安価に仕上げて得ることができるのである。化粧用コットンの幅２Ｌは約４ｃｍであり、折りたたんだ状態の帯状材６の幅Ｌは約２ｃｍ程度となる。
【００１３】
即ち、帯状材６は断面視において、内部に木綿繊維のみにより構成した所謂脱脂綿で吸湿水分伝達逃散層１を構成するのである。そして、外部には木綿繊維を層状に加工した、例えば、不織布の如く加工した吸湿材料層２を配置するのである。肌と接触する吸湿材料層２である木綿繊維は、やわらかく、吸湿性足指巻きつけ具５を装着したときに違和感がない。
【００１４】
また、前記帯状材を、図９に示したように断面視円形の紐状とすることも可能である。このように紐状材１６とした場合には、図３、図４に示すように、直径２〜６ｍｍ程度の細さの紐状とすれば、足指間に巻きやすくなる。なお、図９（ｂ）に示す如く、断面視において、吸湿水分伝達逃避層１と吸湿材料層２を渦巻き状に巻くことによって帯状材１６’を構成することも可能である。
【００１５】
吸湿材料層２で足指間の水分が取り込まれる。この水分は湿気が少ない吸湿水分伝達逃散層１内へ移動し、更に水分が少ない甲側へ分散される。この分散した水分は足の体温によって温められて蒸発し易くなる。また、甲側の湿気は足裏側よりも少ないために気化されやすく、履物の外へも排出されやすくなる。
【００１６】
即ち、本発明の吸湿性足指巻きつけ具５は、足指間の水分を取り込む吸湿材料層２と、該水分を外に押し出すポンプの役目を果たす吸湿水分伝達逃散層１からなる帯状材６を足指に巻きつけ、足の甲側で絆創膏や傷テープ等の止め具３にて固定するものである。この状態で白癬症の患者が歩行をすると、歩行に伴い足指間のスペースが収縮・拡大を繰り返し、これにより、帯状材６も収縮・拡張を繰り返すのである。
【００１７】
この収縮・拡張作用が、吸湿水分伝達逃散層１を収縮・拡張させて、吸湿水分伝達逃散層１の内部の気孔の収縮・拡張により、体温と摩擦により水蒸気となった足指間の水分を、帯状材６を通して、足の甲の部分まで移動するのである。ここで、足の体温により温められた水分は蒸発され、水蒸気となった足指間の水分は、空気中に飛散される。
【００１８】
次に、帯状材の使用例（巻き方）の一例を、図６を用いて説明する。なお、本実施例においては、直径２〜６ｍｍ程度の円形の帯状材１６を用いて説明する。前記帯状材１６の先端を、足の甲側から中指と薬指の間に挿入し、薬指と小指の間から足の甲側へ戻す。そして小指周りを一周させ、小指と薬指の間から足の甲側に帯状材を戻す。このときの帯状材１６ｃが、（ｂ）の状態の帯状材１６ｂを上から押さえつけるので、帯状材１６はしっかりと足に固定されるのである。そして帯状材１６を足の大きさに合わせて適度な長さにカットし、両端を止め具３で固定する。このようにして足指に巻きつけられた帯状材１６が、足指間の水分を吸収し、足指間を乾燥させる。
【００１９】
なお、吸湿性足指巻きつけ具５は小指と薬指に装着することに限定するものではなく、どの指にも装着可能であるが、白癬症は小指側から発生することが多く、このように帯状材を小指側に巻きつけることで、患部が乾いて白癬症の繁殖が阻止され、早期治癒が可能となる。
【００２０】
また、本発明の吸湿性足指巻きつけ具５は、足指間に挿入された帯状材６が足指間のツボを刺激し、足先の冷えを解消するので、冷え性対策にも効果的である。また、脂性の人は、足指間の脂肪の分泌が多く、不快感を感じることがあるが、本発明の吸湿性足指巻きつけ具５を足指間に装着することで、足指間の油分が吸収され、不快感が解消されるのである。このように、本発明の吸湿性足指巻きつけ具５は、白癬症治療具として利用する他、脂性対策、冷え性対策など多目的に使用できるものである。
【００２１】
【発明の効果】
本発明は以上の如く構成したので、次のような効果を奏するのである。
まず、帯状材により構成した吸湿性足指巻きつけ具は、ふわっとした状態の木綿繊維により構成しているので、これを足指間から足の甲へと装着した状態でも、実際はソフトな肌触りであり、装着状態が気にならないのである。故に、この吸湿性足指巻きつけ具を装着したままで、ストッキングや靴下を履いた場合にも、装着感が気になることが無いのである。また、帯状材は短くカットすることができるので、足の大きさに対応させることができる。
そして、足指間に発生する水分を、木綿繊維を層状に加工した吸湿材料層で吸着し、次に木綿繊維の未加工繊維により構成した吸湿水分伝達逃散層の部分において、気孔を通じて水分を足の甲の部分にまで移動させ、空気中に体温により水蒸気として放出するので、足指間の白癬症の患部の部分は常時乾燥状態となる。よって、白癬症の繁殖の防止と治療を行うことができ、また、脂性の人の足指間の不快感も解消する。また、足指間に挿入される帯状材が足指間のツボを刺激するので、足先の冷えを解消することもできる。
【図面の簡単な説明】
【図１】本発明の吸湿性足指巻きつけ具を装着した状態の平面図。
【図２】本発明の吸湿性足指巻きつけ具を示す図。
【図３】紐状に形成した吸湿性足指巻きつけ具を装着した状態の平面図。
【図４】紐状に形成した吸湿性足指巻きつけ具を示す図。
【図５】リング状に形成した吸湿性足指巻きつけ具を示す図。
【図６】吸湿性足指巻きつけ具の巻き方の一例を示す図。
【図７】化粧用コットンの斜視図。
【図８】（ａ）は化粧用コットンの断面図、（ｂ）は化粧用コットン外部の吸湿材料層を取り外した状態を示す図、（ｃ）は化粧用コットン外部の吸湿材料層を外側にして折りたたんで綴じた状態を示す断面図。
【図９】（ａ）は紐状に形成した吸湿性足指巻きつけ具の正面断面図と側面断面図、（ｂ）は紐状に形成され、吸湿水分伝達逃散層と吸湿材料層が渦巻き状に巻かれた吸湿性足指巻きつけ具の正面断面図と側面断面図。
【図１０】（ａ）は通常脱脂綿として販売される製品を足指間に挿入した場合の不具合を示す図面、（ｂ）はガーゼを足指間に挿入した状態の不具合を示す図面。
【符号の説明】
１　吸湿水分伝達逃散層
２　吸湿材料層
３　止め具
５　吸湿性足指巻きつけ具
６　帯状材
１１　脱脂綿
１２　ガーゼ
１６　紐状材
【図１】
2004033399.tif 000003
【図２】
2004033399.tif 000004
【図３】
2004033399.tif 000005
【図４】
2004033399.tif 000006
【図５】
2004033399.tif 000007
【図６】
2004033399.tif 000008
【図７】
2004033399.tif 000009
【図８】
2004033399.tif 000010
【図９】
2004033399.tif 000011
【図１０】
2004033399.tif 000012